(57)【要約】【課題】印刷に先立って画像データを印刷媒体に印刷したときの印刷の態様を表示装置に表示させる処理を現実の印刷に合わせて正確に行う。【解決手段】取得部８１は画像形成装置１のメニュー設定情報８２、用紙収容部設定情報８３を取得する。用紙収容部選定シーケンス部８４は、用紙収容部のうち印刷に使用する用紙を供給するものとしてどれを使用するかを一定の手順により選定する。用紙収容部選定シーケンス部８５は、用紙収容部選定シーケンス部８４と同一の手順でいずれかの用紙収容部を選定する。プレビュー表示部８６は、取得部８１で取得したメニュー設定情報８２、用紙収容部設定情報８３の情報、及び、用紙収容部選定シーケンス部８５で選定した用紙収容部が用紙収容部１〜３のいずれであるかという情報に基づいて、ユーザが要求した画像データで印刷を行ったときのプレビュー表示を実行する。【選択図】図５
2010066884.tif 000002
【特許請求の範囲】
【請求項１】
印刷媒体上に画像形成を行う画像形成装置から当該画像形成装置の状況の情報を取得する情報取得手段と、
前記画像形成装置が前記状況の情報に基づいて前記印刷媒体を収容する複数の収容部にそれぞれ収容されている当該印刷媒体のうち何れかの収容部のものを画像形成に使用するものとして選択する手順で前記複数の収容部のうちのずれかを選択する収容部選択手段と、
前記情報取得手段が取得した状況の情報及び前記収容部選択手段で選択した収容部に収容されている印刷媒体の種別に基づいて、対象となる画像データを当該印刷媒体に印刷したときの印刷の態様を表示装置に表示する表示手段と、
を備えている印刷表示装置。
【請求項２】
前記情報取得手段は、前記態様の表示の要求があったときに前記画像形成装置から当該画像形成装置の状況の情報を取得する、請求項１に記載の印刷表示装置。
【請求項３】
印刷媒体上に画像形成を行う画像形成装置と、
前記画像形成装置と通信手段を介して接続された印刷表示装置と、
を備え、
前記印刷表示装置は、
画像形成装置の状況の情報を取得する情報取得手段と、
前記画像形成装置が前記状況の情報に基づいて前記印刷媒体を収容する複数の収容部にそれぞれ収容されている当該印刷媒体のうち何れかの収容部のものを画像形成に使用するものとして選択する手順で前記複数の収容部のうちのずれかを選択する収容部選択手段と、
前記情報取得手段が取得した状況の情報及び前記収容部選択手段で選択した収容部に収容されている印刷媒体の種別に基づいて、対象となる画像データを当該印刷媒体に印刷したときの印刷の態様を表示装置に表示する表示手段と、
を備えている、
印刷表示システム。
【請求項４】
前記情報取得手段は、前記印刷態様の表示の要求があったときに前記画像形成装置から当該画像形成装置の状況の情報を取得する、請求項３に記載の印刷表示システム。
【請求項５】
印刷媒体上に画像形成を行う画像形成装置から当該画像形成装置の状況の情報を取得する情報取得手段と、
前記画像形成装置が前記状況の情報に基づいて前記印刷媒体を収容する複数の収容部にそれぞれ収容されている当該印刷媒体のうち何れかの収容部のものを画像形成に使用するものとして選択する手順で前記複数の収容部のうちのずれかを選択する収容部選択手段と、
前記情報取得手段が取得した状況の情報及び前記収容部選択手段で選択した収容部に収容されている印刷媒体の種別に基づいて、対象となる画像データを当該印刷媒体に印刷したときの印刷の態様を表示装置に表示する表示手段と、
をコンピュータに実行させるコンピュータに読み取り可能な印刷表示制御プログラム。
【請求項６】
前記情報取得手段は、前記印刷態様の表示の要求があったときに前記画像形成装置から当該画像形成装置の状況の情報を取得する、請求項５に記載の印刷表示制御プログラム。
【発明の詳細な説明】
【技術分野】
【０００１】
本発明は、印刷表示装置、印刷表示システム及び印刷表示制御プログラムに関する。
【背景技術】
【０００２】
特許文献１には、プリンタドライバの設定とプリンタ本体との設定を合致させてプレビューを行う技術について開示されている。
【特許文献１】特開２００６‐２０２１１２号公報
【発明の開示】
【発明が解決しようとする課題】
【０００３】
画像形成装置を制御するプリンタドライバにはプレビュー機能が搭載されていることが一般的である。プレビュー機能は、画像データで印刷を行う前に用紙に当該画像データに基づいて印刷したときの印刷態様をディスプレイに表示して、印刷結果を印刷前に確認するための機能である。
【０００４】
しかし、プリンタ本体が印刷のために供給する用紙を収容した用紙収容部を複数備え、印刷要求があったときにプリンタ本体が複数の用紙収容部から使用するものを選定するシーケンスを行う場合には、このようなシーケンスを考慮してプレビューを実行しないと、現実の印刷で使用する用紙が何であるかはわからないので、正確なプレビューを行うことはできないという不具合がある。
【０００５】
本発明の目的は、印刷に先立って画像データを印刷媒体に印刷したときの印刷態様を表示装置に表示させる処理を現実の印刷に合わせて正確に行うことである。
【課題を解決するための手段】
【０００６】
請求項１に記載の発明は、印刷媒体上に画像形成を行う画像形成装置から当該画像形成装置の状況の情報を取得する情報取得手段と、前記画像形成装置が前記状況の情報に基づいて前記印刷媒体を収容する複数の収容部にそれぞれ収容されている当該印刷媒体のうち何れかの収容部のものを画像形成に使用するものとして選択する手順で前記複数の収容部のうちのずれかを選択する収容部選択手段と、前記情報取得手段が取得した状況の情報及び前記収容部選択手段で選択した収容部に収容されている印刷媒体の種別に基づいて、対象となる画像データを当該印刷媒体に印刷したときの印刷の態様を表示装置に表示する表示手段と、を備えている印刷表示装置である。
【０００７】
請求項２に記載の発明は、請求項１に記載の印刷表示装置において、前記情報取得手段は、前記態様の表示の要求があったときに前記画像形成装置から当該画像形成装置の状況の情報を取得する。
【０００８】
請求項３に記載の発明は、印刷媒体上に画像形成を行う画像形成装置と、前記画像形成装置と通信手段を介して接続された印刷表示装置と、を備え、前記印刷表示装置は、画像形成装置の状況の情報を取得する情報取得手段と、前記画像形成装置が前記状況の情報に基づいて前記印刷媒体を収容する複数の収容部にそれぞれ収容されている当該印刷媒体のうち何れかの収容部のものを画像形成に使用するものとして選択する手順で前記複数の収容部のうちのずれかを選択する収容部選択手段と、前記情報取得手段が取得した状況の情報及び前記収容部選択手段で選択した収容部に収容されている印刷媒体の種別に基づいて、対象となる画像データを当該印刷媒体に印刷したときの印刷の態様を表示装置に表示する表示手段と、を備えている、印刷表示システムである。
【０００９】
請求項４に記載の発明は、請求項３に記載の印刷表示システムにおいて、前記情報取得手段は、前記印刷態様の表示の要求があったときに前記画像形成装置から当該画像形成装置の状況の情報を取得する。
【００１０】
請求項５に記載の発明は、印刷媒体上に画像形成を行う画像形成装置から当該画像形成装置の状況の情報を取得する情報取得手段と、前記画像形成装置が前記状況の情報に基づいて前記印刷媒体を収容する複数の収容部にそれぞれ収容されている当該印刷媒体のうち何れかの収容部のものを画像形成に使用するものとして選択する手順で前記複数の収容部のうちのずれかを選択する収容部選択手段と、前記情報取得手段が取得した状況の情報及び前記収容部選択手段で選択した収容部に収容されている印刷媒体の種別に基づいて、対象となる画像データを当該印刷媒体に印刷したときの印刷の態様を表示装置に表示する表示手段と、をコンピュータに実行させるコンピュータに読み取り可能な印刷表示制御プログラムである。
【００１１】
請求項６に記載の発明は、請求項５に記載の印刷表示制御プログラムにおいて、前記情報取得手段は、前記印刷態様の表示の要求があったときに前記画像形成装置から当該画像形成装置の状況の情報を取得する。
【発明の効果】
【００１２】
請求項１に記載の発明によれば、本構成を備えていない場合に比べ、画像データを印刷媒体に印刷したときの印刷の態様を表示装置に表示させる処理を現実の印刷に合わせて正確に行う。
【００１３】
請求項２に記載の発明によれば、本構成を備えていない場合に比べ、このような表示処理を画像形成装置の状況に合致させ現実の印刷に合わせて正確に行う。
【００１４】
請求項３に記載の発明によれば、本構成を備えていない場合に比べ、画像データを印刷媒体に印刷したときの印刷の態様を表示装置に表示させる処理を現実の印刷に合わせて正確に行う。
【００１５】
請求項４に記載の発明によれば、本構成を備えていない場合に比べ、このような表示処理を画像形成装置の状況に合致させ現実の印刷に合わせて正確に行う。
【００１６】
請求項５に記載の発明によれば、本構成を備えていない場合に比べ、画像データを印刷媒体に印刷したときの印刷の態様を表示装置に表示させる処理を現実の印刷に合わせて正確に行う。
【００１７】
請求項６に記載の発明によれば、本構成を備えていない場合に比べ、このような表示処理を画像形成装置の状況に合致させ現実の印刷に合わせて正確に行う。
【発明を実施するための最良の形態】
【００１８】
以下、本発明の一実施の形態について図面を参照しつつ説明する。
【００１９】
図１は、本発明の一実施の形態である画像形成システムの概略構成を示す説明図である。
【００２０】
この画像形成システムは、印刷表示システムを実施するもので、印刷媒体である用紙上に画像形成を行う画像形成装置１と、パーソナルコンピュータ（ＰＣ）３と、スキャナ４とがＬＡＮ２などの通信手段を介して接続されている。
【００２１】
図２は、本発明の一実施の形態である画像形成装置の概略構成を示す説明図である。この画像形成装置１は、いわゆるタンデム方式でカラー画像の形成が可能な電子写真方式の画像形成装置である。
【００２２】
この画像形成装置１は、用紙などの印刷媒体に電子写真方式によりトナー画像を形成する作像器となる画像形成プロセス部１０と、画像形成装置１の全体の動作を制御する制御部５０とを備えている。また、画像読取装置４等から受信した印刷ジョブの画像データに画像処理を施す画像処理部５１と、例えばハードディスク装置（Hard Disk Drive）により実現される外部記億部５２とを備えている。
【００２３】
画像形成プロセス部１０は、一定の間隔を置いて並列して配置された４つの画像形成ユニット１１Ｙ，１１Ｍ，１１Ｃ，１１Ｋ（以下、これらを単に「画像形成ユニット１１」ともいう）を備えている。画像形成ユニット１１Ｙ，１１Ｍ，１１Ｃ，１１Ｋは、それぞれイエロー（Ｙ）、マゼンタ（Ｍ）、シアン（Ｃ）、ブラック（Ｋ）のトナー像をそれぞれ形成する。
【００２４】
画像形成ユニット１１Ｙ，１１Ｍ，１１Ｃ，１１Ｋの基本構成はいずれも共通であるため、ここでは代表して画像形成ユニット１１Ｋについて説明する。画像形成ユニット１１Ｋは、矢印Ａ方向に回転しながら静電潜像が形成される感光体ドラム１２と、感光体ドラム１２の表面をある電位で一様に帯電する帯電ローラ１３と、帯電ローラ１３によって帯電された感光体ドラム１２を画像データに基づいて露光する露光装置１４と、を備えている。また、画像形成ユニット１１Ｋは、感光体ドラム１２上に形成された静電潜像を現像する現像器１５と、感光体ドラム１２の表面を清掃するドラムクリーナ１６と、を備えている。４つの画像形成ユニット１１Ｙ，１１Ｍ，１１Ｃ，１１Ｋの各々は、現像器１５に収納されるトナーを除いて略同様に構成され、各画像形成ユニット１１のそれぞれがイエロー（Ｙ）、マゼンタ（Ｍ）、シアン（Ｃ）、ブラック（Ｋ）のトナー像を形成する。
【００２５】
さらに、画像形成プロセス部１０は、各画像形成ユニット１１の各感光体ドラム１２上に形成された各色トナー像が多重転写される中間転写ベルト２０と、各画像形成ユニット１１の各色トナー像を中間転写ベルト２０に順次転写（一次転写）する一次転写ローラ２１Ｙ，２１Ｍ，２１Ｃ，２１Ｋ（以下、これらを単に「一次転写ローラ２１」ともいう）とを備えている。各画像形成ユニット１１で形成されたイエロー（Ｙ）、マゼンタ（Ｍ）、シアン（Ｃ）、ブラック（Ｋ）の各色のトナー像は、各一次転写ローラ２１により順次中間転写ベルト２０に重ね合わせて転写される。画像形成プロセス部１０は、中間転写ベルト２０上に転写されたこの重畳トナー像を二次転写部Ｔにて用紙Ｐに一括転写（二次転写）する二次転写ローラ２６と、二次転写された画像を用紙Ｐ上に定着させる定着器３０とを備えている。
【００２６】
このような中間転写ベルト２０は、当該中間転写ベルト２０を回転駆動する駆動ローラ２４、二次転写ローラ２６の対向位置に設けられたバックアップローラ２５、中間転写ベルト２０に張力を付与するテンションローラ２７、張架ローラ２８、及び一次転写ローラ２１Ｙ，２１Ｍ，２１Ｃ，２１Ｋ等により張架され、矢印Ｂ方向に循環移動する。
【００２７】
この画像形成装置１では、画像形成プロセス部１０は、制御部５０による制御により一連の画像形成動作を行う。すなわち、カラー画像を形成する場合には、ＰＣ３や画像読取装置４から入力された印刷ジョブの画像データは、画像処理部５１によって画像処理が施され、色毎の画像データが各露光装置１４に送られる。そして、例えばブラック（Ｋ）色の画像形成ユニット１１Ｋでは、帯電ローラ１３によりある電位で一様に帯電された感光体ドラム１２の表面が、露光装置１４により画像処理部５１からのＫ色画像データに基づいて露光され、感光体ドラム１２上に静電潜像が形成される。形成された静電潜像は現像器１５によりトナーで現像され、感光体ドラム１２上にはブラック（Ｋ）のトナー像が形成される。画像形成ユニット１１Ｙ，１１Ｍ，１１Ｃにおいても、同様にして、イエロー（Ｙ）、マゼンタ（Ｍ）、シアン(Ｃ)の各色のトナー像が形成される。なお、モノクロ画像を形成する場合には、ブラック（Ｋ）色の画像形成ユニット１１Ｋのみにより黒（Ｋ）のトナー像が形成される。
【００２８】
本実施の形態の画像形成装置１では、用紙搬送系として、搬送路Ｒ１，Ｒ２，Ｒ３，Ｒ４，Ｒ５を備えている。搬送路Ｒ１は、用紙収容部４０Ａ，４０Ｂ，４０Ｃからの用紙Ｐを二次転写部Ｔ及び定着器３０へ搬送するための搬送路であり、搬送路Ｒ２は、搬送路Ｒ１により搬送された用紙Ｐを用紙排出部Ｑから排出するための搬送路である。搬送路Ｒ３は、搬送路Ｒ１により搬送された用紙Ｐを用紙排出部Ｗから排出するための搬送路である。
【００２９】
搬送路Ｒ４は、両面印刷する場合に用いられる搬送路であり、搬送路３で反転させた用紙Ｐを再び搬送路Ｒ１に搬送するための搬送路である。すなわち、搬送路Ｒ４から搬送路Ｒ１へ用紙Ｐが搬送されると、二次転写部Ｔ及び定着器３０を通過することで用紙Ｐの裏面への画像形成が行われる。
【００３０】
搬送路Ｒ５は、手差し用紙収容部５６からの用紙Ｐを二次転写部Ｔに搬送するための搬送路である。また、本実施の形態の画像形成装置１では、搬送路Ｒ１を搬送される用紙を他の搬送路Ｒ２，Ｒ３，Ｒ４に切り替える切り替え部（切り替え機構、シート搬送方向切り替え装置）６０を備えている。
【００３１】
各画像形成ユニット１１で形成された各色のトナー像は、矢印Ｂ方向に循環移動する中間転写ベルト２０上に、高電圧の一次転写電源としての電源装置６１からある一次転写バイアス電圧が印加された各一次転写ローラ２１により順次静電転写され、中間転写ベルト２Ｏ上には各色のトナー像が重畳された重畳トナー像が形成される。この重畳トナー像は、中間転写ベルト２０の移動に伴って二次転写ローラ２６とバックアップローラ２５とが配置された二次転写部Ｔに向けて搬送される。
【００３２】
一方、画像形成装置１には、異なるサイズないし異なる紙種の複数の用紙Ｐ１，Ｐ２，Ｐ３（「用紙Ｐ」とも総称する）が、それぞれ用紙収容部４０Ａ，４０Ｂ，４０Ｃに収容されている。そして、制御部５０により例えば用紙Ｐ１が指定された場合には、ピックアップローラ４１により用紙収容部４０Ａから用紙Ｐ１が取り出され、搬送ローラ４２によって用紙Ｐ１がレジストローラ４３の位置まで搬送され、ここまでの搬送過程で生じたスキューが補正された後、前述の画像形成プロセス部１０へ搬送される、制御部５０により用紙Ｐ２，Ｐ３が指定された場合にも、同様である。なお、本実施の形態では、用紙収容部４０Ａ，４０Ｂ，４０Ｃのみを図示しているが、それよりも多い数の用紙収容部を備えるように構成してもよい。
【００３３】
そして、中間転写ベルト２０上の各色トナー像が二次転写部Ｔに搬送されるタイミングに合わせて、レジストローラ４３から用紙Ｐが繰り出され、高電圧の二次転写電源としての電源装置６１から電圧が二次転写部Ｔに印加される。そして、各色トナー像は、二次転写ローラ２６とバックアップローラ２５とにより形成された転写電界の作用によって用紙Ｐ上に一括して静電転写（二次転写）される。
【００３４】
その後、重畳トナー像が静電転写された用紙Ｐは、中間転写ベルト２０から剥離され、定着器３０まで搬送される。定着器３０に搬送された用紙Ｐ上の未定着のトナー像は、定着器３０によって加熱と加圧とによる定着処理を受けることで用紙Ｐ上に定着される。そして、画像が形成された用紙Ｐは、搬送路Ｒ１から搬送路Ｒ２に搬送されることで、定着後搬送ローラ４４及び搬出ローラ４５によって画像形成装置１の用紙排出部Ｑから排出され、画像形成装置１に接続された後処理装置等（図示省略）に搬送される。
【００３５】
一方、二次転写後に中間転写ベルト２０に付着しているトナー(転写残トナー)は、中間転写ベルト２０に接触して配置されたベルトクリーナ２３によって除去され、次の画像形成サイクルに備えられる。このようにして、画像形成装置１での画像形成は、指定された枚数分だけ繰り返して実行される。
【００３６】
図３は、制御部５０の電気的な接続のブロック図である。
【００３７】
制御部５０は、各種演算を行ない、各部を集中的に制御するＣＰＵ６１と、ＣＰＵ６１が実行する画像形成制御プログラム６２や各種固定データが記憶されたＲＯＭ６３と、ＣＰＵ６１の作業エリアとなるＲＡＭ６４とが接続されている。この制御部５０には、画像形成プロセス部１０、画像処理部５１、外部記億部５２などと通信を行う通信インターフェイス（Ｉ／Ｆ）６５と、ユーザが各種操作を行う操作パネル６６とが接続されている。
【００３８】
なお、画像形成プロセス部１０は、電子写真方式により画像形成する例で説明しているが、本発明はこれに限定されるものではなく、インクジェット方式、銀塩写真方式、感熱記録方式、熱転写方式など様々な手段で印刷を行う画像形成装置に適用することができる。
【００３９】
図４は、ＰＣ３の電気的な接続のブロック図である。
【００４０】
ＰＣ３は、印刷表示装置を実施するもので、各部を集中的に制御するＣＰＵ７１に、ＣＰＵ７１の作業エリアとなるＲＡＭ７２と、制御プログラム７３を含むＣＰＵ７１が実行する各種プログラムや固定データを記憶している磁気記憶装置７４と、画像形成装置１と通信を行う通信インターフェイス（Ｉ／Ｆ）７５と、マウスやキーボードなどの入力装置７６と、ＬＣＤなどの表示装置７７とが接続されている。制御プログラム７３は、画像形成装置１を制御するためのドライバである。
【００４１】
制御プログラム７３は、インターネットから搬送波の形態でダウンロードして、磁気記憶装置７４にセットアップしても良いし、制御プログラム７３を記憶したＣＤ，ＤＶＤ，ＭＯなどの記憶媒体から当該制御プログラム７３をＣＤドライブ、ＤＶＤドライブなどの読取装置で読み取り、磁気記憶装置７４にセットアップしても良い。
【００４２】
制御プログラム７３はプレビュー機能を備えている。すなわち、画像データで印刷を行う前に印刷媒体である用紙に当該画像データに基づいて印刷したときの印刷の態様を表示装置７７に表示して、印刷結果を印刷前に確認することができる。
【００４３】
以下では、このプレビュー機能の詳細について説明する。
【００４４】
図５は、プレビュー機能について説明する機能ブロック図である。
【００４５】
制御プログラム７３に基づくＰＣ３の取得部８１は画像形成装置１が備えているメニュー設定情報８２、用紙収容部設定情報８３（詳細は後述）を取得する。
【００４６】
画像形成装置１の用紙収容部選定シーケンス部８４は、用紙収容部４０Ａ，４０Ｂ，４０Ｃ（以下では、これらを用紙収容部１〜３ともいう）のうち印刷に使用する用紙を供給する用紙収容部としてどれを使用するかを一定の手順により選定する。
【００４７】
ＰＣ３の用紙収容部選定シーケンス部８５は、画像形成装置１の用紙収容部選定シーケンス部８４が用紙収容部１〜３のうち印刷に使用する用紙を供給する用紙収容部としてどれを使用するかを選定する手順で用紙収容部１〜３のいずれかを選定する。
【００４８】
プレビュー表示部８６は、取得部８１で取得したメニュー設定情報８２、用紙収容部設定情報８３の情報、及び用紙収容部選定シーケンス部８５で選定した用紙収容部が用紙収容部１〜３のいずれであるかという情報に基づいて、ユーザが要求した画像データで印刷を行ったときのプレビュー表示を実行する。
【００４９】
図６、図７を参照して、メニュー設定情報８２、用紙収容部設定情報８３について説明する。
【００５０】
メニュー設定情報８２には、画像形成装置１の各種メニュー設定が含まれるが、「用紙収容部のリレー給紙設定ＯＮ／ＯＦＦ」とあるのは、用用紙収容部１〜３のうちのある用紙収容部内の用紙がなくなったときに、同一の用紙が収容された他の用紙収容部に遷移することを許可するか否かを設定しており、ＯＮなら遷移を許可し、ＯＦＦなら遷移を許可しない。
【００５１】
また、「用紙収容部の不定形設定ＯＮ／ＯＦＦ」とあるのは、定形の用紙と幾分サイズの異なる不定形の用紙を収容していたときにＯＮとし、定形の用紙を収容しているときはＯＦＦとする。ＯＮのときは当該用紙収容部内の用紙を他の用紙収容部の用紙がなくなったときに遷移することができないが、ＯＦＦのときは遷移することができる。
【００５２】
「拡大／縮小設定」とあるのは、画像を拡大し、あるいは縮小して印刷するという設定である。例えば、Ｂ４サイズをＡ３サイズに拡大したり、あるいは、Ａ３サイズをＢ４サイズに縮小したりするという、画像形成装置１におけるユーザの設定である。
【００５３】
用紙収容部設定情報８３は、各用紙収容部について、収容している用紙のサイズ（Ａ４、Ｂ４など）、紙質（普通紙、厚紙など）、用紙の有無、などの項目が設定されている。用紙のサイズ、用紙の有無などは用紙収容部１〜３に設けられたセンサで検出することができ、紙質は操作パネル６６で設定することができる。
【００５４】
図８は、プレビュー機能について説明するフローチャートである。
【００５５】
ＰＣ３（のＣＰＵ７１）は、ユーザからプレビューの実行の指示を受け付けたときは（ステップＳ１のＹ）、画像形成装置１からメニュー設定情報８２、用紙収容部設定情報８３を取得する（ステップＳ２）。次に、画像形成装置１が用紙収容部１〜３のうち印刷に使用する用紙を供給する用紙収容部としてどれを使用するかを選定する手順で用紙収容部１〜３のいずれかを選定する（詳細は後述）（ステップＳ３）。よって、この用紙収容部の選定は画像形成装置１で実行されているものと同様の手順で行われる。そして、メニュー設定情報８２、用紙収容部設定情報８３、ステップＳ３で選定したのが何れの用紙収容部であるかという情報に基づいてプレビュー表示を表示装置７７に行う（ステップＳ４）。
【００５６】
次に、図９のフローチャートを参照してステップＳ３のサブルーチンについて説明する。
【００５７】
まず、プレビューの実行の対象となっている印刷データの印刷条件のうち用紙のサイズや紙質の情報を取得する（ステップＳ１１）。そして、メニュー設定情報８２の拡大／縮小設定の欄を参照する（ステップＳ１２）。そして、これらの情報から印刷に必要な用紙サイズ、紙質を決定する（ステップＳ１３）。
【００５８】
決定した用紙のサイズ、紙質が、収容している用紙のサイズ、紙質と合致している用紙収容部を検索し（ステップＳ１４）、その検索した用紙収容部の中から不定形設定がＯＦＦのものを検索し（ステップＳ１５）、検索できた用紙収容部があったときは（ステップＳ１６のＹ）、当該用紙収容部に決定する（ステップＳ１７）。
【００５９】
検索できた用紙収容部がなかったときは（ステップＳ１６のＮ）、ステップＳ１３で決定した用紙サイズが縮小可能な用紙サイズか否かを判断する（ステップＳ１８）。ここで、ある用紙サイズについて縮小可能な用紙サイズの組み合わせは予め決まっていて、その組み合わせについては同じものが用紙収容部選定シーケンス部８４と用紙収容部選定シーケンス部８５とに設定されている。この例では、Ａ３サイズなら、Ｂ４又はＡ４に縮小可能である。Ｂ４サイズなら、Ａ４又はＢ５に縮小可能である。Ａ４サイズなら、Ｂ５に縮小可能である。
【００６０】
縮小可能な用紙サイズであるときは（ステップＳ１８のＹ）、その縮小後の用紙サイズ、ステップＳ１３で決定した紙質が収容している用紙のサイズ、紙質と合致している用紙収容部を検索し（ステップＳ１９）、その検索した用紙収容部の中から不定形設定がＯＦＦのものを検索し（ステップＳ２０）、検索できた用紙収容部があったときは（ステップＳ２１のＹ）、当該用紙収容部に決定する（ステップＳ２２）。
【００６１】
検索できた用紙収容部がなかったときは（ステップＳ２１のＮ）、現在選択されている用紙収容部に決定する（ステップＳ２３）。
【００６２】
次に、図９の処理を具体的な例で説明する。
【００６３】
ここで、プレビューを行おうとする印刷データはサイズがＡ３サイズ、拡大／縮小設定にＡ３サイズをＡ４サイズに縮小するという設定があり、メニュー設定情報８２、用紙収容部設定情報８３のよる用紙収納部１〜３の設定が図１０に示すとおりであるものとする。
【００６４】
まず、拡大／縮小設定がＡ３サイズをＡ４サイズに縮小するという設定なので、印刷に必要な用紙サイズ、紙質は、Ａ４サイズ、普通紙と決定する（ステップＳ１３）。そして、Ａ４サイズの用紙は用紙収納部１〜３にないので、自動縮小可能な用紙サイズか否かを判断すると（ステップＳ１８）、Ａ４サイズはＢ５サイズに縮小できるので（ステップＳ１８のＹ）、Ｂ５サイズの用紙が収納された用紙収納部３を決定する（ステップＳ１９〜Ｓ２２）。縮小可能な用紙サイズでないときは（ステップＳ１８のＮ）、現在選択されている用紙収容部に決定する（ステップＳ２３）。
【００６５】
以上説明した図９の処理は、画像形成装置１で実行されているものと同様の手順で行われる。
【００６６】
このようなＰＣ３のプレビュー機能では、用紙収容部の選定が画像形成装置１で実行されているものと同様の手順で行われ、現実に印刷したときと同じ用紙に印刷したものとしてプレビューを表示装置７７に表示させることができるので、プレビュー処理を現実の印刷に合わせて正確に行う。
【００６７】
また、メニュー設定情報８２、用紙収容部設定情報８３は、ユーザからプレビューの実行の指示を受け付けたときに（ステップＳ１のＹ）取得するので（ステップＳ２）、最新の設定情報を取得することでプレビューを画像形成装置１の設定に合致させ、プレビュー処理を現実の印刷に合わせて正確に行う。
【図面の簡単な説明】
【００６８】
【図１】本発明の一実施の形態である画像形成システムの全体構成のブロック図である。
【図２】本発明の一実施の形態である画像形成装置の全体構成の説明図である。
【図３】画像形成装置の電気的な接続のブロック図である。
【図４】パーソナルコンピュータの電気的な接続のブロック図である。
【図５】プレビュー機能について説明する機能ブロック図である。
【図６】メニュー設定情報の説明図である。
【図７】用紙収容部設定情報の説明図である。
【図８】パーソナルコンピュータが実行する処理のフローチャートである。
【図９】ステップＳ３のサブルーチンを説明するフローチャートである。
【図１０】処理を具体例で説明する説明図である。
【符号の説明】
【００６９】
１    画像形成装置
３    パーソナルコンピュータ
【図１】
2010066884.tif 000003
【図２】
2010066884.tif 000004
【図３】
2010066884.tif 000005
【図４】
2010066884.tif 000006
【図５】
2010066884.tif 000007
【図６】
2010066884.tif 000008
【図７】
2010066884.tif 000009
【図８】
2010066884.tif 000010
【図９】
2010066884.tif 000011
【図１０】
2010066884.tif 000012